(57)【特許請求の範囲】
【請求項１】
めっきが施された部品の各部位の形状について予め設定されている形状の中から入力装置により所望の形状が選択されると、各形状に対応して予め設定された寸法データを記憶装置に記憶された部位寸法データベースから選択し、これら寸法データを用いて選択された形状を組み合わせて構成される部品の表面積を演算装置により算出する表面積算出ステップと、
前記表面積算出ステップで算出された部品の表面積を受け取り、これと記憶装置に記憶されたパラメータおよび／または入力装置から入力されたパラメータとから当該部品に施されためっき被膜中に含まれる不純物濃度を演算装置によって算出する不純物濃度算出ステップと、
制御装置によって前記表面積算出ステップで算出された表面積、前記不純物濃度算出ステップで算出された不純物濃度およびこれらを算出するために用いた部品の各部位の形状、寸法データ、その他の各種パラメータを取得し、これらの編集を許可せずに印刷用データを作成するステップと
をコンピュータに実行させることを特徴とするめっき被膜中の不純物濃度計算プログラム。
【請求項２】
表面積算出ステップで算出された表面積、前記不純物濃度算出ステップで算出された不純物濃度およびこれらを算出するために用いた部品の各部位の形状、寸法データ、その他の各種パラメータを編集不可能に所定位置に表示し、かつ報告書作成のために必要な所定の情報を入力するフィールドを備えた報告書ツールダイアログを制御装置により生成し、これを出力装置に表示するステップと、
前記報告書ツールダイアログを通じて入力装置によって印刷指令信号が入力されると、制御装置が報告書ツールダイアログに設定された情報を所定用紙に所定様式でレイアウトして印刷するための印刷用データをプリンタポートに出力するステップと
をコンピュータに実行させることを特徴とする請求項１に記載のめっき被膜中の不純物濃度計算プログラム。
【請求項３】
制御装置により印刷用データをファイルとして記憶装置に保存するステップと、
制御装置により印刷用データが用紙に印刷された状態を近似的に示す印刷プリビューを出力装置に表示するステップと、
入力装置により指定された所望の印刷用データのファイルを読み込み、制御装置によりその印刷用データを印刷プリビューに反映するステップと
をコンピュータに実行させることを特徴とする請求項１または請求項２に記載のめっき被膜中の不純物濃度計算プログラム。
【発明の詳細な説明】
【技術分野】
【０００１】
本発明は、各種部材の締結に用いられるねじ等、表面にめっき被膜が形成された部品の当該めっき被膜中に含まれる不純物の濃度を計算し、その結果から報告書作成を行うめっき被膜中の不純物濃度計算プログラムに関するものである。
【背景技術】
【０００２】
従来から各種金属部品の耐食性向上のため、部品表面に亜鉛めっきを行い、これにクロメート処理を施すことが行われている。このクロメート処理は、非特許文献１に開示されている通り、亜鉛めっき皮膜上に六価クロムを含有するクロメート被膜を生成する処理である。しかし、近年、六価クロムの有害性が指摘されるに至り、六価クロムフリーを目的としたクロメート処理技術の研究開発が盛んになっている。例えば、部品の一例である金属製のねじについても例外ではなく、古くから耐食性向上を目的として行われてきた六価クロメート処理に代え、三価クロムを用いた三価クロメート処理が行われるようになっている。この三価クロメート処理については、クロメート処理液の生成過程で六価クロムイオンを還元して三価クロムイオンが得らていること等の理由から、還元されずに残った六価クロムが三価クロメート処理を行った後のめっき被膜中に不純物として含有される問題が指摘されている。このため、三価クロメート処理を行っためっき被膜中の六価クロム含有量、すなわち不純物濃度を知ることは、ねじ自体および、そのねじを使用した最終製品の品質保証上、極めて重要なこととなっている。
【０００３】
三価クロメート処理を行った後のめっき被膜中の六価クロム含有濃度測定方法としては、これまでから様々な方法が提案されているが、その一つとして、株式会社松下テクノリサーチから提案されている方法（以下、これを松下方法という）が知られている。この松下方法は、次の数１を用い、ねじに施されためっき被膜中に含まれる不純物たる六価クロムの含有濃度を求める方法である。
【数１】
0004751196.tif 000002
【０００４】
【非特許文献１】斎藤優  外６名（技術分野別特許マップ作成委員会  事務局：社団法人  発明協会  研究所技術解析部）、”電気めっき技術”、［online］、第１章１．３．４亜鉛めっき、特許庁、［平成１７年５月９日検索］、インターネット＜URL：http://www.jpo.go.jp/shiryou/s_sonota/map/kagaku05/1/1-3-4.htm＞
【発明の開示】
【発明が解決しようとする課題】
【０００５】
上記松下方法を用いる場合には、六価クロムの溶出量や亜鉛めっき質量といったパラメータが必要であり、これらを求めるためには、さらに多くのパラメータが必要となる。こうしたパラメータは、従来、作業者が必要な試験・計算等を個別に行うことによって得られていた。また、こうしたパラメータや試験方法等は、通常、数１によって算出した六価クロム含有濃度と共に報告書にまとめられ、社内の関連部署や顧客先に配布され、環境対策を検討実施する上での情報として利用されることとなる。しかし、前述のようにパラメータが多いこと等から、報告書作成時に人為的な記載ミスが発生しやすく、そうしたミスが不適切な環境対策を生み出してしまい、かえって環境破壊を招いてしまう恐れがあった。
【課題を解決するための手段】
【０００６】
本発明は、上記課題に鑑みて創成されたものであり、めっき被膜中に含まれる不純物濃度を算定し、これに関する信頼性の高い報告書を作成することができるめっき被膜中の不純物濃度計算プログラムを提供することを目的とする。この目的を達成するために本発明は、めっきが施された部品の各部位の形状について予め設定されている形状の中から入力装置により所望の形状が選択されると、各形状に対応して予め設定された寸法データを記憶装置に記憶された部位寸法データベースから選択し、これら寸法データを用いて選択された形状を組み合わせて構成される部品の表面積を演算装置により算出する表面積算出ステップと、前記表面積算出ステップで算出された部品の表面積を受け取り、これと記憶装置に記憶されたパラメータおよび／または入力装置から入力されたパラメータとから当該部品に施されためっき被膜中に含まれる不純物濃度を演算装置によって算出する不純物濃度算出ステップと、制御装置によって前記表面積算出ステップで算出された表面積、前記不純物濃度算出ステップで算出された不純物濃度およびこれらを算出するために用いた部品の各部位の形状、寸法データ、その他の各種パラメータを取得し、これらの編集を許可せずに印刷用データを作成するステップとをコンピュータに実行させることを特徴とする。
【０００７】
前記表面積算出ステップで算出された表面積、前記不純物濃度算出ステップで算出された不純物濃度およびこれらを算出するために用いた部品の各部位の形状、寸法データ、その他の各種パラメータを編集不可能に所定位置に表示し、かつ報告書作成のために必要な所定の情報を入力するフィールドを備えた報告書ツールダイアログを制御装置により生成し、これを出力装置に表示するステップと、前記報告書ツールダイアログを通じて入力装置によって印刷指令信号が入力されると、制御装置が報告書ツールダイアログに設定された情報を所定用紙に所定様式でレイアウトして印刷するための印刷用データをプリンタポートに出力するステップとをコンピュータに実行させるようにしてもよい。
【０００８】
また、制御装置により印刷用データをファイルとして記憶装置に保存するステップと、制御装置により印刷用データが用紙に印刷された状態を近似的に示す印刷プリビューを出力装置に表示するステップと、入力装置により指定された所望の印刷用データのファイルを読み込み、制御装置によりその印刷用データを印刷プリビューに反映するステップとをコンピュータに実行させるようにしてもよい。
【発明の効果】
【０００９】
本発明においては、ねじ等の部品の各部位の形状を指定することによって部品の表面積を算出し、この表面積およびその他の各種パラメータを利用して不純物濃度を算定し、これら不純物濃度、表面積、各種パラメータ等を編集を許可することなく印刷用データに書き込む処理を行う。このため、報告書作成時に不純物濃度計算に関する情報の改ざんや誤記を防ぎ、不純物濃度を求めるために必要なパラメータの算出時点からの整合性の取れた情報を報告書に記載し、報告書の信頼性を高めることができる等の利点がある。
【００１０】
また、以前に作成して保存した報告書の印刷用データを印刷プリビューに直接読み込んで反映させることが可能である。このため、複数の報告書を印刷プリビューでイメージ的にチェックしながら印刷することが可能になるとともに、報告書印刷における作業効率を高めることができる等の利点がある。
【発明を実施するための最良の形態】
【００１１】
以下、図面に基づいて本発明を実施するための最良の形態を説明する。
図１に示すように、本発明に係るめっき被膜中の不純物濃度計算プログラム１（以下、単に不純物濃度計算プログラム１という）は、ねじの表面積計算プログラム１１（以下、単に表面積計算プログラム１１という）と、濃度計算プログラム１２と、報告書作成プログラム１３とから構成されており、ハードディスクドライブ、ＣＤ−ＲＯＭ、各種メモリ等の記憶装置に記憶されるアプリケーションプログラムである。したがって、記憶装置を具備する一般的なパーソナルコンピュータ２（以下、パソコン２という）のオペレーティングシステム上で実行可能な構造となっている。
【００１２】
前記パソコン２は、図２に示すように、制御装置２ａと、この制御装置２ａによって制御される演算装置２ｂと、前記記憶装置２ｃと、キーボード、マウス等で構成される入力装置２ｄと、液晶モニタ、プリンタ等で構成される出力装置２ｅとを備えた周知の構成である。
【００１３】
前記表面積計算プログラム１１は、部位寸法データベース１１ａ（以下、部位寸法ＤＢ１１ａという）を有する。この部位寸法ＤＢ１１ａには、ねじの駆動部の形状、ねじの頭部の形状、ねじの呼び径、ねじに組み込まれるワッシャの形状、ねじ部の形状、ねじ部の長さ、ねじ山のピッチ、完全ねじ部の長さ、テーパ部の長さ等のねじの各部位の形状に応じた寸法値が格納されている。
【００１４】
前記ねじの各部の寸法は、日本工業規格、ＩＳＯ、ＡＮＳＩ等の国内外の国家・団体規格、あるいは製造者単位で定められる所謂社内規格等により、ねじの呼び径を基準として細かく規格化されている。上記部位形状ＤＢ１１ａには、これらの規格によって規格化されたねじの呼び径を基準とした各部の寸法値が登録されている。
【００１５】
この表面積計算プログラム１１の実行を、パソコン２の処理を中心に説明すると、次のようになる。まず、入力装置２ｄにおけるマウス（図示せず）を用いて、出力装置２ｅにおける液晶モニタ（図示せず）に表示されたアイコンがダブルクリックされて、制御装置２ａにプログラム起動指令信号が入力されると、制御装置２ａは記憶装置２ｃから表面積計算プログラム１１を読み込んで実行する。これにより、液晶モニタには図３に示す表面積計算ダイアログ３がグラフィカル・ユーザー・インターフェイス（以下、ＧＵＩという）により表示される。この表面積計算ダイアログ３は、形状指定エリア３１と、図形描画エリア３２と、表面積表示エリア３３とで構成される。
【００１６】
前記形状指定エリア３１には、上記部位寸法ＤＢ１１ａに登録されたねじの各部位の形状を指定するためのボックスが設けられている。上記ねじの各部位の形状と形状指定エリア３１におけるボックスとの対応関係は、次の通りである（図４参照）。
ねじの駆動部の形状：ボックス３１ａ
ねじの頭部の形状：ボックス３１ｂ
ねじの呼び径：ボックス３１ｃ
ねじに組み込まれるワッシャの形状：ボックス３１ｄ
ねじ部の形状：ボックス３１ｅ
ねじ部の長さ：ボックス３１ｆ
ねじ山のピッチ：ボックス３１ｇ
完全ねじ部の長さ：ボックス３１ｈ
テーパ部の長さ：ボックス３１ｉ
【００１７】
ボックス３１ａないし３１ｅは、リストボックス構造であり、図５に示すように、複数の形状名または寸法値で成る選択肢が予め設定されている。したがって、ここを入力装置で操作することにより、選択肢がリスト表示され、その中から所望の形状名または寸法値を選択することができる。ここで各部位毎の形状名を選択すると、選択された形状名に対応する形状の寸法値が、前記部位寸法ＤＢ１１ａから選択される。また、ねじ部の長さのエディットボックス３１ｆは、任意の値を入力できるようになっている。ここに入力された長さ寸法値は、演算装置で部位寸法ＤＢ１１ａにおけるねじ部の長さの寸法値と比較され、この結果、入力された長さに最も近い規格寸法値が、部位寸法ＤＢ１１ａから選択され、演算装置２ｂにおけるレジスタやキャッシュ、あるいは前記記憶装置２ｃに記憶される。
【００１８】
制御装置２ａは、前述のように部位寸法ＤＢ１１ａから選択して記憶されたねじ各部位の寸法値と、これらに基づいて演算装置２ｃにより演算された各部の結合座標情報とを含んだ図形描画指令を液晶モニタに与える。これにより、表面積計算ダイアログ３の図形描画エリア３３には、ねじの正面図と側面図とが描画表示される（図３参照）。このねじの描画処理において用いられる結合座標情報とは、例えば駆動部と頭部との位置関係、頭部とねじ部との位置関係等、各部同士の位置関係を規定するための情報であり、この結合座標情報に従って描画処理が行われることにより、ねじの各部位の寸法値から得られる各部の形状を正確に結合させた図形を表示することができる。このように、図形描画エリア３３に形状指定エリア３１で指定されたねじの形状を描画表示することにより、形状指定エリア３１で指定した形状名に対する実際の形状を確認することができる。このため、作業者がねじの部位の形状名を覚え間違えていて、誤った形状を指定してしまっても、これに気付くことが容易になり、間違いを正して、正確な表面積を得ることが可能となる。
【００１９】
また、演算装置２ｂは、前述のように部位寸法ＤＢ１１ａから選択したねじ各部位の寸法値から、当該ねじの表面積を演算する。このねじの表面積は、各部位の形状毎の表面積を求めて合算し、ここから各部位同士の接合部分や欠如部分等、具体的に例を挙げると、頭部とねじ部との接合部分や、頭部上に占める駆動部（例えば十字穴）の領域部分、の総面積を差し引くことにより求める。なお、各部位の表面積算定については、予め各部位の形状毎に定められた計算式が用いられる。このようにして求められた所望ねじの表面積は、表面積表示エリア３２に表示されるとともに、記憶装置２ｃに記憶される。なお、形状指定エリア３１の下部に設けられている印刷ボタン３４をクリックすると、図形描画エリア３３に表示されたねじの図形と、表面積表示エリア３２に表示されている表面積データとが、出力装置２ｅのプリンタによって印刷出力される。
【００２０】
表面積計算ダイアログ３のメニューバー３５には、「ツール」メニュー３５ａが設けてあり、この中の「濃度計算」メニュー（図示せず）がマウスでクリックされると、制御装置２ａは、濃度計算プログラム１２を実行する。濃度計算プログラム１２の実行により、液晶モニタには、新たに図６に示す濃度計算ダイアログ４がＧＵＩにより表示される。この濃度計算ダイアログ４は、亜鉛めっきを行った後に三価クロメート処理を施すことにより、亜鉛めっき被膜表面に三価クロメート被膜を形成した（以下、この亜鉛めっき被膜と三価クロメート被膜とから成る被膜を「めっき被膜」という）ねじの、当該めっき被膜中に含まれる不純物たる六価クロムの含有濃度、すなわち不純物濃度を算定するためのものである。本実施形態では、六価クロムの含有濃度を算定するための方法として、上記松下方法を用いる。
【００２１】
前記松下方法においては、六価クロム含有濃度を算定するために六価クロム溶出量とねじの亜鉛めっき質量とが必要となるが、それぞれの求め方を以下に示す。
まず、六価クロム溶出量は次の手順で算定する。
（１）亜鉛めっきを行った後、三価クロメート処理を施すことにより、表面にめっき被膜を形成したねじを７０℃ないし１００℃の所定量の抽出液に所定時間浸す。抽出液としては、温水を用いる。
（２）抽出液からねじを取り出し、分析器具を用いて、抽出液中に含まれる六価クロムの濃度を調べる。分析器具としては、株式会社共立理化学研究所製の水質分析器具：パックテスト（登録商標）の型式KR-Cr6+を用いるとよい。また、株式会社島津製作所製の分光光度計ＵＶｍｉｎｉ（登録商標）−１２４０と、これで水質測定を行うための専用試薬セットである水質測定プログラムパックとを用いてもよい。
（３）以下の数２により、ねじ１本当たりの六価クロム溶出量を求める。
【数２】
0004751196.tif 000003
また、ねじの亜鉛めっき質量は、次の数３により算定する。
【数３】
0004751196.tif 000004
【００２２】
前記濃度計算ダイアログ４には、数１における六価クロム溶出量および亜鉛めっき質量を算定するために必要な各種パラメータ、すなわち、数２および数３における各種パラメータを入力するための、測定値、測定本数、表面積、抽出水量、Ｃｒ６＋管理基準、めっき厚、めっき比重、めっき質量、総溶出量、溶出量の各ボックス４１ａ〜４１ｊが設けられている。これらボックスと数２、数３におけるパラメータとの対応関係は次のとおりである。
「測定値」ボックス４１ａ：抽出液中の六価クロム含有濃度ｄ
「測定本数」ボックス４１ｂ：抽出液に浸したねじの本数ｂ
「表面積」ボックス４１ｃ：ねじの表面積Ａ
「抽出液量」ボックス４１ｄ：抽出液量ｑ
「Ｃｒ６＋管理基準」ボックス４１ｅ
「めっき厚」ボックス４１ｆ：亜鉛めっき被膜の膜厚ｔ
「めっき比重」ボックス４１ｇ：亜鉛めっき被膜の比重ρ
「めっき質量」ボックス４１ｈ：亜鉛めっき質量Ｍ
「総溶出量」ボックス４１ｉ
「溶出量」ボックス４１ｊ：六価クロム溶出量Ｐ
【００２３】
前記ボックスの内、測定本数、表面積、抽出水量、Ｃｒ６＋管理基準、めっき厚、めっき比重の６つのボックス４１ｂ〜４１ｇには、濃度計算ダイアログ４起動当初から既に値が設定される。すなわち、濃度計算プログラム１２には、予め前記６つのパラメータの内、表面積を除く５つのパラメータの標準値が組み込まれている。濃度計算プログラム１２起動時、制御装置２ａは、これらの標準値と、先の表面積計算プログラム１１の実行により求められたねじの表面積とを読み込んで保持する。そして、これらを濃度計算ダイアログ４の対応するボックス４１ｂ〜４１ｇに表示する処理を行う。
【００２４】
前記Ｃｒ６＋管理基準は、六価クロム含有濃度の基準値であり、これには六価クロム含有濃度を自主的に管理するために定められた自己管理基準値、各種業界や団体で指定された許容濃度値等が設定される。また、総溶出量は、抽出液に浸したねじの本数ｂ全体での六価クロム溶出量を示す。これを本数ｂで除することで、六価クロム溶出量Ｐが求まる。
【００２５】
前記測定本数、表面積、抽出液量、Ｃｒ６＋管理基準、めっき厚、めっき比重の各ボックス４１ｂ〜４１ｇの傍らには、これらに対応して、チェックボックス４４ｂ〜４４ｇが設けてある。これらチェックボックス４４ｂ〜４４ｇは、制御装置２ａにモード切換信号を送るスイッチ要素として機能する。これがマウスでクリックされてオンになると、制御装置２ａにモード切換信号が送られ、これを受けて制御装置２ａは、オンにされたチェックボックスに対応するボックスが、値を入力・編集可能なパラメータ入力可能モードに切り替わるよう、濃度計算ダイアログ４を更新する処理を実行する。これにより、液晶モニタに表示されている濃度計算ダイアログ４の対応するボックスは、フォーカスを取得可能となる。また、逆にチェックボックスがオフにされると、制御装置２ａにはモード切換信号が送られ、これを受けて制御装置２ａは、対応するボックスが値を入力・編集不可能なパラメータ入力不可モードに切り替わるよう、濃度計算ダイアログ４を更新する処理を実行する。これにより、液晶モニタに表示されている濃度計算ダイアログ４の対応するボックスは、フォーカスを取得できなくなる。なお、各チェックボックスのデフォルトは、表面積、Ｃｒ６＋管理基準、めっき厚、めっき比重の各ボックス４１ｃ，４１ｅ，４１ｆ，４１ｇに対応するチェックボックス４４ｃ，４４ｅ，４４ｆ，４４ｇがオフで、他の２つがオンの設定である。
【００２６】
前記めっき質量、総溶出量、溶出量の各ボックス４１ｈ〜４１ｊは、自動計算値の表示用である。溶出量のボックス４１ｊには、数２により求められたねじ１本当たりの六価クロムの溶出量が、また、めっき質量のボックス４１ｈには、数３により求められたねじ１本当たりの亜鉛めっき質量がそれぞれ自動的に設定される。
【００２７】
濃度計算ダイアログ４の下部には、六価クロム含有濃度の表示領域として濃度表示エリア４２が設定されるとともに、計算、報告書作成、終了の各コマンドボタン４３ａ〜４３ｃが設けられている。上記ボックス４１ａ〜４１ｇに値を入力・設定し、計算ボタン４３ａをマウスでクリックすると、演算装置２ｂは、これらの値と数１ないし数３とから、ねじのめっき被膜中の六価クロム含有濃度を算出する。そして、算出した六価クロム含有濃度を、Ｃｒ６＋管理基準ボックス４１ｅに設定された値と比較する。この結果は制御装置２ｂに送られ、制御装置２ｂは、その結果に応じた表示指令信号を出力装置２ｅ（モニタ）に送る。これにより、濃度計算ダイアログ４の濃度表示エリア４２には、図７に示すように、算定された六価クロム含有濃度が表示される。この時、算出された六価クロム含有濃度が、Ｃｒ６＋管理基準値より大きい場合は、警告を示す意図で赤色の文字で表示され、小さい場合は緑色の文字で表示される。
【００２８】
また、前記報告書作成ボタン４３ｂがマウスでクリックされた時には、制御装置２ａは記憶装置２ｃから報告書作成プログラム１３を読み込んで実行する。これにより、液晶モニタには、図８に示す報告書ツールダイアログ５がＧＵＩにより表示される。この報告書ツールダイアログ５には、宛先、発行No、ユーザ品番、測定方法、測定試薬、測定機器、発行者の各パラメータを入力するためのボックスが設けられている。
これらボックスと図８中の符号との対応関係は次のとおりである。
宛先ボックス５１ａ
発行Noボックス５１ｂ
ユーザ品番ボックス５１ｃ
測定方法ボックス５１ｄ
測定試薬ボックス５１ｅ
測定機器ボックス５１ｆ
発行者ボックス５１ｇ
【００２９】
また、報告書ツールダイアログ５には、ねじ諸元表示エリア５２および計算結果表示エリア５３が設けられており、ねじ諸元表示エリア５２には、前記表面積計算ダイアログ３で指定したねじの形状に関わる情報と、前記濃度計算ダイアログ４で指定したねじのめっき被膜に関わる情報（本例では、めっき厚とめっき比重）とが編集不可能な状態で表示される。また、計算結果表示エリア５３には、前記濃度計算ダイアログ４で指定した他の情報と、計算結果として得られた不純物濃度とが編集不可能な状態で表示される。
【００３０】
報告書ツールダイアログ５上部に設けられたメニューバー５４のメニュー構成は、図９に示すようになっている。ダイアログ５の所要のボックスに情報を入力し、図９（ａ）に示すファイルメニュー中の報告書保存５４ａをマウスでクリックすると、ファイル名を指定するダイアログボックス（図示せず）が開き、ここにファイル名を指定すると、前記ボックス５１ａ〜５１ｇに入力された項目、ねじ諸元表示エリア５２に表示された各種情報および計算結果表示エリア５３に表示された各種情報に用紙サイズや、レイアウト情報などを付加した印刷用データが生成され、これが指定したファイル名で報告書ファイルとして例えば記憶装置２ｃに保存される。この時、既存の暗号化処理技術を利用して、報告書ファイルを暗号化し、修正不能な形態で保存しておくことが望ましい。
【００３１】
また、印刷メニュー中の報告書印刷５４ｂをマウスでクリックすると、制御装置２ａは前述同様の印刷用データを生成するとともに、これをプリンタが設定されているプリンタポート（図示せず）に出力する。これにより、プリンタに印刷用データが送信され、報告書ツールダイアログ５に表示・設定された情報が報告書として紙に印刷される。また、印刷メニュー中の報告書プリビュー５４ｃをクリックすると、制御装置２ａは前述同様の印刷用データを生成するとともに、この印刷用データが用紙に印刷された状態を近似的にイメージ表示する印刷プリビュー６（図１０参照）をモニタに表示出力する。この印刷プリビュー６は、上部にメニューバー６１を有し、このメニューバーの印刷メニュー中の「印刷」をクリックすると、印刷プリビュー６に反映されている印刷用データが前述同様にプリンタポートに出力される。また、メニューバー６１のファイルメニュー中に設定された「読み込み」をクリックすると、例えば記憶装置２ｃに保存されている報告書ファイルを指定するダイアログボックスが開く。ここで所望の報告書ファイルを指定すると、記憶装置２ｃにある該当ファイル名の報告書ファイルから印刷用データが読み込まれ、これが印刷プリビュー６に反映される。つまり、当該印刷用データの印刷プリビュー６に表示が切り替えられるのである。なお、前記表面積計算ダイアログのメニューバーのツールメニュー中にも、「報告書プリビュー」が設けられており、これをクリックすることで前述同様の印刷プリビュー機能を利用することができる。
【００３２】
以上のように、表面積計算ダイアログでは描画表示されたねじの形状を確認しながらねじの形状を指定し、続く濃度計算ダイアログでは、デフォルトで必要最小限のパラメータの入力のみを許可するようにし、続く報告書ツールダイアログでも、不純物濃度およびこれの計算に利用したパラメータは編集不可能に表示するようになっている。このため、間違ったパラメータが指定されるのを極力防止し、表面積および不純物濃度の算出から報告書の作成に至るまでパラメータの整合性を高め、最終的に信頼性の高い報告書を得ることができる。
【図面の簡単な説明】
【００３３】
【図１】本発明に係るめっき被膜中の不純物濃度計算プログラムのブロック説明図。
【図２】本発明に係るめっき被膜中の不純物濃度計算プログラムを実行するパソコンのブロック説明図。
【図３】本発明に係るめっき被膜中の不純物濃度計算プログラムの実行状態説明図。
【図４】本発明に係るめっき被膜中の不純物濃度計算プログラムの実行状態説明図。
【図５】本発明に係るめっき被膜中の不純物濃度計算プログラムの実行状態説明図。
【図６】本発明に係るめっき被膜中の不純物濃度計算プログラムの実行状態説明図。
【図７】本発明に係るめっき被膜中の不純物濃度計算プログラムの実行状態説明図。
【図８】本発明に係るめっき被膜中の不純物濃度計算プログラムの実行状態説明図。
【図９】本発明に係るめっき被膜中の不純物濃度計算プログラムの実行状態要部拡大説明図。
【図１０】本発明に係るめっき被膜中の不純物濃度計算プログラムの実行状態説明図。
【符号の説明】
【００３４】
１  めっき被膜中の不純物濃度計算プログラム
１１  ねじの表面積計算プログラム
１１ａ  部位寸法データベース
１２  濃度計算プログラム
１３  報告書作成プログラム
２  パーソナルコンピュータ
３  表面積計算ダイアログ
３１  形状指定エリア
３２  表面積表示エリア
３３  図形描画エリア
４  濃度計算ダイアログ
４２  濃度表示エリア
５  報告書ツールダイアログ
６  印刷プリビュー
【図１】
0004751196.tif 000005
【図２】
0004751196.tif 000006
【図３】
0004751196.tif 000007
【図４】
0004751196.tif 000008
【図５】
0004751196.tif 000009
【図６】
0004751196.tif 000010
【図７】
0004751196.tif 000011
【図８】
0004751196.tif 000012
【図９】
0004751196.tif 000013
【図１０】
0004751196.tif 000014